(57)【要約】      （修正有）【課題】麺等の食品や湯の量が増加した大盛りタイプのインスタント食品であっても蓋体が容器本体から外れたり、麺が湯出口に詰まることを防止できるインスタント食品用容器の蓋体を提供する。【解決手段】湯出口１０の手前で容器本体１の開口縁２の内面に嵌入される凸状部９の開口端部９ａに延長して湯の排出方向ａに対して略直角に対面して配置された堰止面１１ａ，１２ａを有する食品流出防止堰としての段部１１，１２とにより構成する。【選択図】図２
0003158956.tif 000002
【実用新案登録請求の範囲】
【請求項１】
インスタント食品用容器本体に着脱可能な蓋体であって、
前記容器本体の上部を蓋う天板と、
前記天板の外周に垂下され、前記容器本体の開口縁に外嵌される垂下縁と、
前記垂下縁に接続され、前記容器本体の開口縁の上面に裏面が当接する周縁部と、
前記周縁部に接続され、該周縁部に沿って前記天板の裏面側に突出し、前記容器本体の開口縁の内面に嵌入される凸状部と、
前記凸状部よりも外側に設けられ、前記容器本体内に充填した湯を排出する湯出口と、
を有し、
前記湯出口近傍の左右一対の前記凸状部の内側壁面を前記湯出口に向かって延長した場合の延長線と、その延長線が交差する交点よりも内側に調理後の食品が堰き止められるように前記湯出口近傍の左右一対の前記凸状部の前記湯出口近傍端部の内側壁面相互の離間間隔を設定したことを特徴とするインスタント食品用容器の蓋体。
【請求項２】
インスタント食品用容器本体に着脱可能な蓋体であって、
前記容器本体の上部を蓋う天板と、
前記天板の外周に垂下され、前記容器本体の開口縁に外嵌される垂下縁と、
前記垂下縁に接続され、前記容器本体の開口縁の上面に裏面が当接する周縁部と、
前記周縁部に接続され、該周縁部に沿って前記天板の裏面側に突出し、前記容器本体の開口縁の内面に嵌入される凸状部と、
前記凸状部よりも外側に設けられ、前記容器本体内に充填した湯を排出する湯出口と、
前記湯出口の手前で前記凸状部の開口端部に湯の排出方向に対して略直角に対面して配置された堰止面を有する食品流出防止堰と、
を有することを特徴とするインスタント食品用容器の蓋体。
【請求項３】
前記食品流出防止堰は、前記凸状部の高さよりも低い高さを有する段部により構成されたことを特徴とする請求項２に記載のインスタント食品用容器の蓋体。
【請求項４】
前記食品流出防止堰は、
前記凸状部の開口端部から延長され、該凸状部の高さよりも低い高さを有する第１の段部と、
前記第１の段部から延長され、該第１の段部の高さよりも低い高さを有する第２の段部と、
を有することを特徴とする請求項２に記載のインスタント食品用容器の蓋体。
【請求項５】
前記蓋体に設けられた前記垂下縁の内側に、前記容器本体の開口縁の下面に係止し得る係止部が設けられ、前記食品流出防止堰の堰止面で堰き止められた調理後の食品が該堰止面の手前で前記蓋体の前記天板を外側に押し上げると、その反作用により前記容器本体の前記開口縁に外嵌される前記垂下縁が前記容器本体の前記開口縁側に押し下げられて前記垂下縁の内側に設けられた係止部が前記容器本体の開口縁の下面に係止することを特徴とする請求項２〜４の何れか１項に記載のインスタント食品用容器の蓋体。
【考案の詳細な説明】
【技術分野】
【０００１】
本考案は、インスタント食品用容器本体に着脱可能な蓋体に関するものである。
【背景技術】
【０００２】
従来、湯を注いだときに蓋体の湯への接触を遮断して熱の伝わりを軽減したものが特開２００５−２８０７３２号公報（特許文献１）により提案されている。特許文献１では図６に示すように、蓋体51の天板52の裏面側に突出して容器本体１の開口縁２の内面２ａに嵌入される凸状部55の開口端部55ａが湯出口56の手前で湯の排出方向ａに平行に形成されている。
【先行技術文献】
【特許文献】
【０００３】
【特許文献１】特開２００５−２８０７３２号公報
【考案の概要】
【考案が解決しようとする課題】
【０００４】
しかしながら、最近のインスタント焼きそば等では２玉以上の麺３を収容した大盛りタイプのインスタント食品が供されるようになり麺３や湯４の量が増加する傾向にあるため、湯４のみを排出しようとした際に、図７（ｂ）に示すように、麺３が湯出口56に詰まって湯４の排出が困難になる場合がある。一方、蓋体51は、合成樹脂シートを真空成型等により作成されているため、湯４により加熱されて軟化するため、図７（ｃ）に示すように、大量の麺３や湯４に押されて蓋体51が容器本体１から外れる場合もあった。
【０００５】
本考案は前記課題を解決するものであり、その目的とするところは、麺等の食品や湯の量が増加した大盛りタイプのインスタント食品であっても蓋体が容器本体から外れたり、麺が湯出口に詰まることを防止できるインスタント食品用容器の蓋体を提供せんとするものである。
【課題を解決するための手段】
【０００６】
前記目的を達成するための本考案に係るインスタント食品用容器の蓋体の第１の構成は、インスタント食品用容器本体に着脱可能な蓋体であって、前記容器本体の上部を蓋う天板と、前記天板の外周に垂下され、前記容器本体の開口縁に外嵌される垂下縁と、前記垂下縁に接続され、前記容器本体の開口縁の上面に裏面が当接する周縁部と、前記周縁部に接続され、該周縁部に沿って前記天板の裏面側に突出し、前記容器本体の開口縁の内面に嵌入される凸状部と、前記凸状部よりも外側に設けられ、前記容器本体内に充填した湯を排出する湯出口とを有し、前記湯出口近傍の左右一対の前記凸状部の内側壁面を前記湯出口に向かって延長した場合の延長線と、その延長線が交差する交点よりも内側に調理後の食品が堰き止められるように前記湯出口近傍の左右一対の前記凸状部の前記湯出口近傍端部の内側壁面相互の離間間隔を設定したことを特徴とする。
【０００７】
また、本考案に係るインスタント食品用容器の蓋体の第２の構成は、インスタント食品用容器本体に着脱可能な蓋体であって、前記容器本体の上部を蓋う天板と、前記天板の外周に垂下され、前記容器本体の開口縁に外嵌される垂下縁と、前記垂下縁に接続され、前記容器本体の開口縁の上面に裏面が当接する周縁部と、前記周縁部に接続され、該周縁部に沿って前記天板の裏面側に突出し、前記容器本体の開口縁の内面に嵌入される凸状部と、前記凸状部よりも外側に設けられ、前記容器本体内に充填した湯を排出する湯出口と、前記湯出口の手前で前記凸状部の開口端部に湯の排出方向に対して略直角に対面して配置された堰止面を有する食品流出防止堰とを有することを特徴とする。
【０００８】
また、本考案に係るインスタント食品用容器の蓋体の第３の構成は、前記第２の構成において、前記食品流出防止堰は、前記凸状部の高さよりも低い高さを有する段部により構成されたことを特徴とする。
【０００９】
また、本考案に係るインスタント食品用容器の蓋体の第４の構成は、前記第２の構成において、前記食品流出防止堰は、前記凸状部の開口端部から延長され、該凸状部の高さよりも低い高さを有する第１の段部と、前記第１の段部から延長され、該第１の段部の高さよりも低い高さを有する第２の段部とを有することを特徴とする。
【００１０】
また、本考案に係るインスタント食品用容器の蓋体の第５の構成は、前記第２〜第４の構成において、前記蓋体に設けられた前記垂下縁の内側に、前記容器本体の開口縁の下面に係止し得る係止部が設けられ、前記食品流出防止堰の堰止面で堰き止められた調理後の食品が該堰止面の手前で前記蓋体の前記天板を外側に押し上げると、その反作用により前記容器本体の前記開口縁に外嵌される前記垂下縁が前記容器本体の前記開口縁側に押し下げられて前記垂下縁の内側に設けられた係止部が前記容器本体の開口縁の下面に係止することを特徴とする。
【考案の効果】
【００１１】
本考案に係るインスタント食品用容器の蓋体の第１の構成によれば、湯出口近傍の左右一対の凸状部の内側壁面を湯出口に向かって延長した場合の延長線と、その延長線が交差する交点よりも内側に調理後の食品が堰き止められるように該湯出口近傍の左右一対の凸状部の湯出口近傍端部の内側壁面相互の離間間隔を設定したことにより湯出口の手前で食品の流出を堰き止めて湯のみを排出することが出来、蓋体が容器本体から外れたり、食品が湯出口に詰まることを防止できる。湯出口近傍の左右一対の凸状部の湯出口近傍端部で堰き止められた食品が該湯出口近傍端部の手前で蓋体の天板を外側に押し上げると、その反作用により容器本体の開口縁に外嵌される垂下縁が該容器本体の開口縁側に押し下げられて蓋体と容器本体とをより強く係止するため蓋体が容器本体から外れることがない。
【００１２】
本考案に係るインスタント食品用容器の蓋体の第２の構成によれば、湯出口の手前で凸状部の開口端部に設けた食品流出防止堰の湯の排出方向に対して略直交する堰止面により食品の流出を堰き止めて湯のみを排出することが出来、蓋体が容器本体から外れたり、食品が湯出口に詰まることを防止できる。食品流出防止堰で堰き止められた食品が該食品流出防止堰の手前で蓋体の天板を外側に押し上げると、その反作用により容器本体の開口縁に外嵌される垂下縁が該容器本体の開口縁側に押し下げられて蓋体と容器本体とをより強く係止するため蓋体が容器本体から外れることがない。
【００１３】
また、本考案に係るインスタント食品用容器の蓋体の第３の構成によれば、食品流出防止堰を凸状部の高さよりも低い高さを有する段部により構成したことで、段部により食品の流出を抑制しつつ湯の排出量を増大して湯切り時間を短縮することが出来る。
【００１４】
また、本考案に係るインスタント食品用容器の蓋体の第４の構成によれば、食品流出防止堰を凸状部の開口端部から延長され、該凸状部の高さよりも低い高さを有する第１の段部と、該第１の段部から延長され、該第１の段部の高さよりも低い高さを有する第２の段部とを有して構成したことで、第１、第２の段部により食品の流出を抑制しつつ湯の排出量を増大して湯切り時間を短縮することが出来る。
【００１５】
また、本考案に係るインスタント食品用容器の蓋体の第５の構成によれば、食品流出防止堰の堰止面で堰き止められた調理後の食品が該堰止面の手前で蓋体の天板を外側に押し上げると、その反作用により容器本体の開口縁に外嵌される垂下縁が容器本体の開口縁側に押し下げられて垂下縁の内側に設けられた係止部が容器本体の開口縁の下面に係止される。これにより蓋体と容器本体とをより強く係止するため蓋体が容器本体から外れることがない。
【図面の簡単な説明】
【００１６】
【図１】本考案に係るインスタント食品用容器の蓋体の第１実施形態の全体構成を示す斜視図である。
【図２】（ａ）は第１実施形態のインスタント食品用容器の蓋体に設けた食品流出防止堰を表面側から見た平面図、（ｂ）は第１実施形態のインスタント食品用容器の蓋体に設けた食品流出防止堰を裏面側から見た裏面図、（ｃ）は（ａ）のＡ−Ａ断面図である。
【図３】調理後に湯を排出する際に第１実施形態のインスタント食品用容器の蓋体に設けた食品流出防止堰により食品の流出を防止する様子を示す図である。
【図４】（ａ）は第２実施形態のインスタント食品用容器の蓋体に設けた食品流出防止堰を表面側から見た平面図、（ｂ）は第２実施形態のインスタント食品用容器の蓋体に設けた食品流出防止堰を裏面側から見た裏面図、（ｃ）は（ａ）のＢ−Ｂ断面図である。
【図５】（ａ）は第３実施形態のインスタント食品用容器の蓋体に設けた食品流出防止堰を表面側から見た平面図、（ｂ）は第３実施形態のインスタント食品用容器の蓋体に設けた食品流出防止堰を裏面側から見た裏面図、（ｃ）は（ａ）のＣ−Ｃ断面図である。
【図６】特許文献１に記載された従来例を説明する図であり、（ａ）は従来のインスタント食品用容器の蓋体を表面側から見た平面図、（ｂ）は従来のインスタント食品用容器の蓋体を裏面側から見た裏面図、（ｃ）は（ａ）のＤ−Ｄ断面図である。
【図７】調理後に湯を排出する際に従来のインスタント食品用容器の蓋体に設けた湯出口に食品が詰まり、蓋体が上方に押し上げられて蓋体が容器本体から脱離する様子を示す図である。
【考案を実施するための形態】
【００１７】
図により本考案に係るインスタント食品用容器の蓋体の一実施形態を具体的に説明する。
【実施例１】
【００１８】
先ず、図１〜図３を用いて本考案に係るインスタント食品用容器の蓋体の第１実施形態の構成について説明する。図１〜図３において、５はインスタント食品用容器本体１に着脱可能な蓋体であり、合成樹脂シートを真空成形または圧空成形等により熱成形して作成される。本実施形態ではインスタント焼きそば用の容器本体１に着脱可能な蓋体５の一例について説明するが、湯４を注ぐことによってこれを食べることが出来る他の種々のインスタント加工食品用容器の蓋体５として適用できる。
【００１９】
蓋体５は、容器本体１の上部を蓋う天板６と、該天板６の外周に垂下され、容器本体１の開口縁２に外嵌される垂下縁７と、該垂下縁７に接続され、容器本体１の開口縁２の上面に裏面が当接する周縁部８と、該周縁部８に接続され、該周縁部８に沿って天板６の裏面側に突出し、容器本体１の開口縁２の内面２ａに嵌入される凸状部９と、該凸状部９よりも外側に設けられ、容器本体１内に充填した湯４を排出する湯出口10と、該湯出口10の手前で凸状部９の開口端部９ａに延長して湯４の排出方向ａに対して略直角に対面して配置された堰止面11ａ，12ａをそれぞれ有する食品流出防止堰となる段部11，12を有する。
【００２０】
本実施形態では、図３（ｃ）に示すように、湯出口10近傍の左右一対の凸状部９の内側壁面９ｂを湯出口10に向かって延長した場合の延長線14と、その延長線14が交差する交点14ａよりも内側に調理後の食品となる麺３が堰き止められるように湯出口10近傍の左右一対の凸状部９の湯出口10近傍端部の内側壁面９ｂ相互の離間間隔が設定される。
【００２１】
また、蓋体５に設けられた垂下縁７の内側には容器本体１の開口縁２の下面に係止し得る係止部７ａが設けられている。
【００２２】
本実施形態において、食品流出防止堰は、図２（ｃ）に示すように、凸状部９の天板６からの高さｈ１よりも低い高さｈ２，ｈ３を有する段部11，12により構成される。即ち、食品流出防止堰は、凸状部９の開口端部９ａから延長され、該凸状部９の天板６からの高さｈ１よりも低い高さｈ２を有する第１の段部11と、該第１の段部11から延長され、該第１の段部11の天板６からの高さｈ２よりも低い高さｈ３を有する第２の段部12とを有し、各段部11，12には湯４の排出方向ａに対して略直角に対面して配置された堰止面11ａ，12ａが形成されている。
【００２３】
上記構成によれば、図３（ｃ）に示すように、湯出口10近傍の左右一対の凸状部９の内側壁面９ｂを湯出口10に向かって延長した場合の延長線14と、その延長線14が交差する交点14ａよりも内側に調理後の食品となる麺３が堰き止められるように該湯出口10近傍の左右一対の凸状部９の湯出口10近傍端部の内側壁面９ｂ相互の離間間隔を設定したことにより湯出口10の手前で麺３の流出を堰き止めて湯４のみを排出することが出来、蓋体５が容器本体１から外れたり、麺３が湯出口10に詰まることを防止できる。また、湯出口10近傍の左右一対の凸状部９の湯出口10近傍端部で堰き止められた麺３が該湯出口10近傍端部の手前で蓋体５の天板６を外側に押し上げると、その反作用により容器本体１の開口縁２に外嵌される垂下縁７が該容器本体１の開口縁２側に押し下げられて蓋体５と容器本体１とをより強く係止するため蓋体５が容器本体１から外れることがない。
【００２４】
特に本実施形態では、湯出口10の手前で凸状部９の開口端部９ａに延長して設けた食品流出防止堰となる段部11，12に設けられた湯４の排出方向ａに対して略直交する堰止面11ａ，12ａにより麺３等の食品の流出を堰き止めて湯４のみを排出することが出来、蓋体５が容器本体１から外れたり、麺３等の食品が湯出口10に詰まることを防止できる。
【００２５】
また、図３（ｃ）に示すように、食品流出防止堰となる段部11，12の堰止面11ａ，12ａで堰き止められた麺３等の食品が該段部11，12の手前で蓋体５の天板６を外側に押し上げると、その反作用により容器本体１の開口縁２に外嵌される垂下縁７が該容器本体１の開口縁２側に押し下げられて垂下縁７の内側に設けられた係止部７ａが容器本体１の開口縁２の下面に係止する。これにより蓋体５と容器本体１とをより強く係止するため蓋体５が容器本体１から外れることがない。
【００２６】
また、食品流出防止堰を凸状部９の天板６からの高さｈ１よりも低い高さｈ２，ｈ３を有する段部11，12により構成したことで、該段部11，12により麺３等の食品の流出を抑制しつつ湯４の排出量を増大して湯切り時間を短縮することが出来る。
【００２７】
特に、食品流出防止堰を凸状部９の開口端部９ａから延長され、該凸状部９の天板６からの高さｈ１よりも低い高さｈ２を有する第１の段部11と、該第１の段部11から延長され、該第１の段部11の天板６からの高さｈ２よりも低い高さｈ３を有する第２の段部12とを有して構成したことで、第１、第２の段部11，12により麺３等の食品の流出を抑制しつつ湯４の排出量を増大して湯切り時間を短縮することが出来る。
【実施例２】
【００２８】
次に、図４を用いて本考案に係るインスタント食品用容器の蓋体の第２実施形態の構成について説明する。尚、前記第１実施形態と同様に構成したものは同一の符号を付して説明を省略する。本実施形態では前記第１実施形態の第２の段部12を省略したものであり、その他は前記第１実施形態と同様に構成され、同様の効果を得ることが出来る。
【実施例３】
【００２９】
次に、図５を用いて本考案に係るインスタント食品用容器の蓋体の第３実施形態の構成について説明する。尚、前記第１実施形態と同様に構成したものは同一の符号を付して説明を省略する。本実施形態では前記第１実施形態の段部11，12を省略し、その代わりに凸状部９に延長して湯出口10の手前で該凸状部９の開口端部に湯４の排出方向ａに対して略直角に対面して配置された堰止面13ａを有する食品流出防止堰13を設けており、該食品流出防止堰13の天板６からの高さは凸状部９の天板６からの高さｈ１と一致している。その他は前記第１実施形態と同様に構成され、同様の効果を得ることが出来る。
【産業上の利用可能性】
【００３０】
本考案の活用例として、インスタント食品用容器本体に着脱可能な蓋体に適用できる。
【符号の説明】
【００３１】
ａ    …排出方向
ｈ１，ｈ２，ｈ３…高さ
１    …容器本体
２    …開口縁
２ａ  …内面
３    …麺(食品）
４    …湯
５    …蓋体
６    …天板
７    …垂下縁
７ａ  …係止部
８    …周縁部
９    …凸状部
９ａ  …開口端部
９ｂ  …内側壁面
10    …湯出口
11，12 …段部(食品流出防止堰)
11ａ，12ａ …堰止面
13    …食品流出防止堰
13ａ  …堰止面
14    …延長線
14ａ  …交点
【図１】
0003158956.tif 000003
【図２】
0003158956.tif 000004
【図３】
0003158956.tif 000005
【図４】
0003158956.tif 000006
【図５】
0003158956.tif 000007
【図６】
0003158956.tif 000008
【図７】
0003158956.tif 000009